(57)【要約】【課題】折り畳んで横倒しにした状態における十分なコンパクト化が図ることができ、コンテナへの収納効率を向上し得る梱包用スリーブを提供する。【解決手段】横断面がほぼ長方形となる角筒状に形成され、１対の側壁構成部に縦方向へ沿って設けられた曲折部Ｂ１，Ｂ２を介して折り畳み可能に構成された梱包用スリーブ１１において、前記各曲折部Ｂ１，Ｂ２を１対の長辺側壁構成部２２，２４に設けると共に、展開状態における前記長方形の四隅をそれぞれ面取り状に構成し、かつ、当該面取り隅部２５〜２８のうち一方の対角線上に位置する１対の面取り隅部２６，２８の横幅Ｗｃ２を、他方の対角線上に位置する１対の面取り隅部２５，２７の横幅Ｗｃ１よりも長く設定して、対向する前記各曲折部Ｂ１，Ｂ２を前記各長辺側壁構成部２２，２４の横幅方向において所定量Ｘ分だけ互いにオフセットさせるように構成した。【選択図】図３
2012121603.tif 000002
【特許請求の範囲】
【請求項１】
上下が開口形成され横断面がほぼ長方形となる１対の長辺側壁構成部と１対の短辺側壁構成部とを有する角筒状を成し、前記上下の各開口部のうち少なくとも上側に蓋体が外嵌されることで１つの箱体を構成すると共に、対向する前記各対の側壁構成部のうち１対の側壁構成部の各横幅方向の中間部に縦方向に沿って設けられた曲折部を介して当該１対の側壁構成部をそれぞれ内方へ曲折することで折り畳み可能に構成された梱包用スリーブにおいて、
前記各曲折部を前記１対の長辺側壁構成部に設けると共に、
展開状態における前記長方形の四隅をそれぞれ面取り状に構成し、かつ、該面取り隅部のうち一方の対角線上に位置する１対の面取り隅部の幅を、他方の対角線上に位置する１対の面取り隅部の幅よりも長く設定して、対向する前記各曲折部を、前記長辺側壁構成部の横幅方向において互いにオフセットさせるように構成したことを特徴とする梱包用スリーブ。
【請求項２】
請求項１に記載の梱包用スリーブにおいて、
前記長方形の面積を、運搬時に前記箱体が載置されるパレットの底面積よりも小さくなるように設定すると共に、
前記縦方向の寸法を、前記１対の長辺側壁構成部の横幅よりも短く設定したことを特徴とする梱包用スリーブ。
【請求項３】
請求項２に記載の梱包用スリーブにおいて、
前記縦方向の寸法を、前記１対の短辺側壁構成部の横幅よりも長く設定したことを特徴とする梱包用スリーブ。
【請求項４】
請求項３に記載の梱包用スリーブにおいて、
前記折り畳み状態にて、その全体が前記蓋体内に収容されるように構成したことを特徴とする梱包用スリーブ。
【請求項５】
請求項４に記載の梱包用スリーブにおいて、
その全体を樹脂材によって形成したことを特徴とする梱包用スリーブ。
【発明の詳細な説明】
【技術分野】
【０００１】
本発明は、例えば内部に製品等が収容された複数のダンボール等の梱包に供する梱包用スリーブであって折り畳み可能に構成されたものに関する。
【背景技術】
【０００２】
周知のように、製品等の輸送に際しては、これら製品等が収容された複数のダンボールを一纏めに梱包するなどの目的で、ダンボールや樹脂材等によって形成された梱包用スリーブが用いられている。この梱包用スリーブは、ほぼ角筒状に一体形成されていて、立設時における上下の開口部をそれぞれ閉塞するように外嵌する１対の蓋体と共に１つの箱体を構成するものである。そして、この箱体はパレット上に載置されることでフォークリフト等によりコンテナに積載され、車両や船舶、航空機等によって輸送される。
【０００３】
ここで、前記梱包用スリーブには、１回の輸送のみに用いられて当該輸送先にて廃棄されるものと、輸送後に返送されて回収されるものとがあって、後者の場合には、例えば以下の特許文献１に掲載されたもののように、当該梱包用スリーブを折り畳み可能に構成することにより、返送時においてコンテナ内にコンパクトに収容できるようになっている。
【０００４】
かかる従来の梱包用スリーブについて具体的に説明すれば、図９に示すように、当該梱包用スリーブ１は、１対の側壁構成部２，４の各横幅方向の中間部に、該両側壁構成部２，４を凹状に内方へ曲折可能とする曲折部Ｂ１，Ｂ２が上下方向に沿って設けられていて、該両曲折部Ｂ１，Ｂ２を介して前記各側壁構成部２，４を内方へと曲折させることで、当該梱包用スリーブ１を折り畳み可能にしている。すなわち、かかる構成から、製品等の輸送の際には、同図に示すような角筒状に展開され、その下側開口端部がパレット６上に載置された下蓋７に嵌挿されると共にその上側開口端部に上蓋８が外嵌されることにより１つの箱体９が構成されて、該箱体９内に収容される製品等の輸送に供される一方、前記製品等の輸送後には、図１０に示すように、上蓋８が外された状態で前記各側壁構成部２，４が前記各曲折部Ｂ１，Ｂ２をもって内方へ曲折され、当該各側壁構成部２，４において前記各曲折部Ｂ１，Ｂ２を介して連結される左右１対の重畳壁２ａ，４ａがそれぞれ重合されるように折り畳まれることにより、当該梱包用スリーブ１をよりコンパクトに折り畳むことが可能となっている。これによって、梱包用スリーブ１の返送時における図外のコンテナ内の収容密度を高めることが可能となり、当該梱包用スリーブ１の効率的な返送に供されている。
【先行技術文献】
【特許文献】
【０００５】
【特許文献１】特開平９−３２８１２５号公報
【発明の概要】
【発明が解決しようとする課題】
【０００６】
しかしながら、前記従来の梱包用スリーブ１にあっては、図９に示すように、展開状態における上下開口部の形状が長方形となるように構成した場合、横幅が比較的小さい１対の短辺側壁構成部２，４に前記各曲折部Ｂ１，Ｂ２を設けるとすると、当該梱包用スリーブ１を横倒しにしたときに横幅が比較的大きい長辺側壁構成部３，５の面積分に相当するスペースが必要となって、当該折り畳み時における十分なコンパクト化を図ることができない。
【０００７】
また、ここで、前記各側壁構成部２１〜２４の高さＨｓがパレット６の短辺の長さＬ１よりも長い場合には、図１１に示すように、当該梱包用スリーブ１を横倒しにしたときに、この梱包用スリーブ１を下蓋７内に収容できないばかりか、一部がパレット６からはみ出してしまうこととなる。そうすると、通常、パレット６はこれを所定の個数並べたときに前記コンテナの底面内にちょうど収まるような寸法設定となっているために、梱包用スリーブ１を当該パレット６の前記所定（規定）の個数分だけ並べることができなくなってしまい、その結果、前記コンテナへの収容効率が著しく悪化してしまう。
【０００８】
一方、図１２（ａ）に示すように１対の長辺側壁構成部３，５に前記各曲折部Ｂ１，Ｂ２を設けた場合には、当該各長辺側壁構成部３，５を内方へと曲折して折り畳んだ際に、図１２（ｂ）に示すように曲折部Ｂ１，Ｂ２同士が相互に干渉してしまい、当該各長辺側壁構成部３，５における１対の重畳壁３ａ，５ａを完全に重合させるように折り畳むことができない。これによって、当該折り畳み状態における梱包用スリーブ１の厚さ幅方向の十分なコンパクト化を図ることができず、この梱包用スリーブ１の厚さ幅Ｄが増大してしまうため、パレット６上に重ね得る梱包用スリーブ１の数量が減少してしまう。この結果、かかる構成によっても、前記コンテナへの収容効率を悪化させてしまうこととなる。
【０００９】
本発明は、かかる技術的課題に着目して案出されたものであって、折り畳んで横倒しにした状態での十分なコンパクト化を図り得る梱包用スリーブを提供することを目的としている。
【課題を解決するための手段】
【００１０】
請求項１に記載の発明は、横断面がほぼ長方形となる角筒状に形成されて、１対の側壁構成部の各横幅方向の中間部に縦方向へ沿って設けられた曲折部を介して当該各側壁構成部を内方へと曲折することによって折り畳み可能に構成された梱包用スリーブにおいて、前記各曲折部を１対の長辺側壁構成部に設けると共に、展開状態における前記長方形の四隅をそれぞれ面取り状に構成し、かつ、該面取り隅部のうち一方の対角線上に位置する１対の面取り隅部の幅を、他方の対角線上に位置する１対の面取り隅部の幅よりも長く設定して、対向する前記各曲折部を、前記長辺側壁構成部の横幅方向において互いにオフセットさせるように構成したことを特徴としている。
【００１１】
請求項２に記載の発明は、請求項１に記載の梱包用スリーブにおいて、前記長方形の面積を、運搬時に前記箱体が載置されるパレットの底面積よりも小さくなるように設定すると共に、前記縦方向の寸法を、前記１対の長辺側壁構成部の横幅よりも短く設定したことを特徴としている。
【００１２】
請求項３に記載の発明は、請求項２に記載の梱包用スリーブにおいて、前記縦方向の寸法を、前記１対の短辺側壁構成部の横幅よりも長く設定したことを特徴としている。
【００１３】
請求項４に記載の発明は、請求項３に記載の梱包用スリーブにおいて、前記折り畳み状態にて、その全体が前記蓋体内に収容されるように構成したことを特徴としている。
【００１４】
請求項５に記載の発明は、請求項４に記載の梱包用スリーブにおいて、その全体を樹脂材によって形成したことを特徴としている。
【発明の効果】
【００１５】
請求項１に記載の発明によれば、長辺側壁構成部を曲折して折り畳むことで、横倒しにした際の必要スペースを短辺側壁構成部の面積分に抑えることが可能になることは勿論、とりわけ、対向する曲折部を長辺側壁構成部の横幅方向において互いにオフセットさせるように構成したことにより、長辺側壁構成部を内方へ曲折して折り畳む際に各曲折部同士が干渉してしまうことがなく、当該曲折した長辺側壁構成部の全てがほぼ平行となるように折り畳むことが可能となる。これによって、折り畳み時におけるスリーブの厚さ幅を最小限に抑えることができ、当該折り畳み時におけるスリーブの十分なコンパクト化が図れる。この結果、スリーブを返送する際の当該スリーブのコンテナへの収容効率の向上に供される。
【００１６】
請求項２に記載の発明によれば、スリーブを横倒しにした際に当該スリーブをパレットの範囲内に収めることが可能となるため、前記十分なコンパクト化に基づく当該スリーブのコンテナへの収容効率向上の実効が図れる。
【００１７】
請求項３に記載の発明によれば、スリーブ内の容積の増大化に供され、より多くのダンボールや、より大きな高さを有する製品の収納が可能となる。また、特に、本発明のような構成の場合において、前記コンテナへの収容効率を向上させるにあたって前記各長辺側壁構成部を曲折させるようにした構成が有効にはたらくこととなり、前記従来の課題解決に供される。
【００１８】
請求項４に記載の発明によれば、特に、スリーブと蓋体の両部材を返送するにあたって、これらを一纏めにすることが可能となり、当該両部材の取り扱い性の向上に供される。また、前記両部材をコンテナに収容するにあたり、その必要スペース（体積）を蓋体単体分とすることができることから、当該両部材のコンテナへの収容効率の向上にも供される。
【００１９】
請求項５に記載の発明によれば、スリーブをダンボール等の紙材で形成する場合に比べて当該スリーブの耐久性を向上させることができ、当該スリーブをいわゆる通い箱等として再利用する場合に、特に有効となる。
【図面の簡単な説明】
【００２０】
【図１】本発明に係る梱包用スリーブの使用状態を現した分解斜視図である。
【図２】図１に示す梱包用スリーブ単体の斜視図である。
【図３】図１に示す梱包用スリーブ単体の平面図である。
【図４】図２の要部拡大図であって短辺面取り隅部の詳細を現した図である。
【図５】図２の要部拡大図であって長辺面取り隅部の詳細を現した図である。
【図６】図２に示す梱包用スリーブの折り畳みの過程を表した概略図である。
【図７】図１に示す梱包用スリーブを立設状態で折り畳んだ状態を現した斜視図である。
【図８】図７に示す梱包用スリーブを横倒しした状態を現した斜視図である。
【図９】従来の梱包用スリーブの使用状態を現した分解斜視図である。
【図１０】図９に示す梱包用スリーブを立設状態で折り畳んだ状態を現した斜視図である。
【図１１】図１０に示す梱包用スリーブを横倒しした状態を現した斜視図である。
【図１２】従来の梱包用スリーブの他の形態を現した斜視図であって、（ａ）は展開状態を現した図であり、（ｂ）は折り畳み状態を現した図である。
【発明を実施するための形態】
【００２１】
以下、本発明に係る梱包用スリーブの実施形態を図１〜図８に基づいて詳述する。
【００２２】
すなわち、この梱包用スリーブ１１は、図１に示すように、上下が開口するほぼ角筒状に形成され、当該上下開口部に１対の蓋体である上蓋１２及び下蓋１３が外嵌されることによって、１つの箱体１０を構成するようになっている。そして、この箱体１０は、従来と同様、パレット１４に載置され、該パレット１４を介してフォークリフト等により車両、船舶、航空機に設置等された図外のコンテナ内に積載されることによって、その内部に収容した製品等の輸送に供される。このことから、前記箱体１０が多段積みとなる場合にパレット１４が上積みされる上蓋１２及びパレット１４上面に載置される下蓋１３は、各蓋面１２ａ，１３ａがパレット１４の上下面に対応した長方形となるように設定されていると共に、梱包用スリーブ１１は、前記各蓋１２，１３の蓋面１２ａ，１３ａに対応した横断面ほぼ長方形となるように構成されている。
【００２３】
前記梱包用スリーブ１１について、図２、図３に基づいてより具体的に説明すれば、この梱包用スリーブ１１は、上述の構成から、パレット１４上面の各短辺（上下蓋面１２ａ，１３ａの各短辺）の長さＬ１（図１参照）に対応する横幅Ｗｓ１に設定された１対の短辺側壁構成部２１，２３と、パレット１４上面の各長辺（上下蓋面１２ａ，１３ａの各長辺）の長さＬ２（図１参照）に対応する横幅Ｗｓ２に設定された１対の長辺側壁構成部２２，２４と、を備え、前記各側壁構成部２１〜２４の高さＨｓは、パレット１４上面の各長辺（上下蓋面１２ａ，１３ａの各長辺）の長さＬ２よりも若干小さくなるように設定されている。そして、かかる梱包用スリーブ１１は、その全体が所定の樹脂材によって形成されると共に、前記各側壁構成部２１〜２４は、それぞれ３層構造を成し、各層内にはいわゆるトラス状の補強がなされている（図４、図５参照）。このような構成から、当該梱包用スリーブ１１の耐久性の向上が図られ、いわゆる通い箱等として再利用するのに適したものとなっている。
【００２４】
また、前記梱包用スリーブ１１には、前記１対の長辺側壁構成部２２，２４にのみ、それぞれの横（幅）方向のちょうど中間部に、当該各長辺側壁構成部２２，２４を内方へ曲折容易にする１対の曲折部Ｂ１，Ｂ２が、その縦（高さ）方向に沿って設けられている。これら各曲折部Ｂ１，Ｂ２は、とりわけ、前記各長辺側壁構成部２２，２４の内側部に、横断面がほぼＶ字形状となる凹状の切り込みＣ０が設けられることによって構成されていて、この切り込みＣ０によって、前記各長辺側壁構成部２２，２４の当該部分の剛性を低下させて曲折容易とすると共に、その曲折方向が規制されるようになっている。すなわち、前記各曲折部Ｂ１，Ｂ２は、前記切り込みＣ０が前記各長辺側壁構成部２２，２４の内側部に設けられることによって、前記各長辺側壁構成部２２，２４をそれぞれ内方へと曲折可能に構成すると共に（図６（ａ）参照）、当該各曲折部Ｂ１，Ｂ２によって、前記各長辺側壁構成部２２，２４において当該各曲折部Ｂ１，Ｂ２を介し連結される左右１対の重畳壁２２ａ，２４ａをそれぞれ重合するようにして折り畳むことが可能となっている（図６（ｄ）参照）。
【００２５】
さらに、前記梱包用スリーブ１１においては、その横断面に係る前記長方形の四隅に相当する各隅部が、それぞれ稜角を落としたような、いわゆる面取り状を成す面取り隅部２５〜２８として構成されていると共に、これら各面取り隅部２５〜２８は、一方の対角線上に位置する１対の面取り隅部２５，２７と、他方の対角線上に位置する１対の面取り隅部２６，２８とが、互いに異なる横幅Ｗｃ１，Ｗｃ２に設定されている。すなわち、この梱包用スリーブ１１の各隅部には、比較的小さい横幅Ｗｃ１に設定された１対の短辺面取り隅部２５，２７と、該各短辺面取り隅部２５，２７の横幅Ｗｃ１よりも大きな横幅Ｗｃ２に設定された１対の長辺面取り隅部２６，２８と、が設けられている。ここで、短辺面取り隅部２５は短辺面取り隅部２７と、長辺面取り隅部２６は長辺面取り隅部２８と、それぞれ同形状に設定されているため、以下では、前記各１対の短辺面取り隅部２５，２７及び長辺面取り隅部２６，２８につき、それぞれ短辺面取り隅部２５及び長辺面取り構成部２６を例に説明する。
【００２６】
前記短辺面取り隅部２５は、図３、図４に示すように、その横幅Ｗｃ１が、少なくともこれに隣接する短辺側壁構成部２１及び長辺側壁構成部２４に係る厚さ幅Ｔの２倍以上の大きさに設定されていて、後述する梱包用スリーブ１１の折り畳み時において、前記各側壁構成部２１，２４がほぼ平行となるように折り畳むことが可能となっている（図６（ｄ）参照）。なお、かかる短辺面取り隅部２５の内側両端部には、前記各側壁構成部２１，２４との間に、前記各曲折部Ｂ１，Ｂ２と同様に、それぞれ横断面Ｖ字形状を成す１対の切り込みＣ１が設けられていて、これら両切り込みＣ１によって、前記梱包用スリーブ１１の折り畳み時における当該短辺面取り隅部２５と前記各側壁構成部２１，２４との干渉を回避して、該両側壁構成部２１，２４をほぼ平行状態に折り畳むことが担保されている。
【００２７】
前記長辺面取り隅部２６は、図３、図５に示すように、その横幅Ｗｃ２が、少なくともこれに隣接する短辺側壁構成部２１及び長辺側壁構成部２２に係る厚さ幅Ｔの３倍以上の大きさに設定されていて、後述する梱包用スリーブ１１の折り畳み時において、短辺側壁構成部２１と長辺側壁構成部２２の両重畳壁２２ａ，２２ａとがそれぞれほぼ平行となるように折り畳むことが可能となっている（図６（ｄ）参照）。なお、かかる短辺面取り隅部２５の内側両端部には、短辺側壁構成部２１及び長辺側壁構成部２２（重畳壁２２ａ）との間に、前記各曲折部Ｂ１，Ｂ２と同様に、それぞれ横断面Ｖ字形状を成す１対の切り込みＣ２が設けられていて、これら両切り込みＣ２によって、前記梱包用スリーブ１１の折り畳み時における当該長辺面取り隅部２６と前記各側壁構成部２１，２２との干渉を回避して、該両側壁構成部２１，２２をほぼ平行状態に折り畳むことが担保されている。
【００２８】
このように、前記梱包用スリーブ１１の各隅部が、その横幅Ｗｃ１，Ｗｃ２が相互に異なる１対の短辺面取り隅部２５，２７と１対の長辺面取り隅部２６，２８とによって構成されていることによって、当該梱包用スリーブ１１では、図２に示すような展開状態で、図３に示すように、それぞれ対向する短辺側壁構成部２１，２３及び長辺側壁構成部２２，２４が各横幅方向において相互にずれた（オフセットした）状態となっている。これにより、前記各曲折部Ｂ１，Ｂ２も、前記各長辺側壁構成部２２，２４の横幅方向において所定量Ｘ分だけ相互に位置ずれした（オフセットした）状態となっている。
【００２９】
前記各蓋１２，１３は、図１に示すように、その蓋面１２ａ，１３ａの各辺に、所定の高さＨｃに設定された側壁１２ｂ，１３ｂが立設されていて、該各側壁１２ｂ，１３ｂをもって梱包用スリーブ１１の前記各開口端部に外嵌されるようになっている。ここで、前記各側壁の高さＨｃについては、前記折り畳み時における梱包用スリーブ１１の厚さ幅Ｄ（図６（ｄ）参照）よりも大きくなるように設定されていて、折り畳んで横倒しにした梱包用スリーブ１１が、前記各蓋１２，１３のいずれにおいても、外部へはみ出すことなくその内部に完全に収容されるようになっている（図８参照）。
【００３０】
次に、前記梱包用スリーブ１１の折り畳み作業について図６に基づいて詳細に説明すれば、前記箱体１０内に収容された製品等を取り出した後、パレット１４に載置された下蓋１３に当該梱包用スリーブ１１を嵌挿（立設）した状態で、まず、図６（ａ）に示すように、前記各曲折部Ｂ１，Ｂ２を内方へと押し込むようにして前記各長辺側壁構成部２２，２４をそれぞれ内方へ曲折する。その後、図６（ｂ）に示すように、前記両短辺側壁構成部２１，２３の一端側（図中左側）を内方へ押圧することで前記各曲折部Ｂ１，Ｂ２をさらに内方へと押し込み、前記各長辺側壁構成部２２，２４をより大きく曲折させる。
【００３１】
この際、本発明に係る梱包用スリーブ１１では、その横幅Ｗｃ１，Ｗｃ２が相互に異なる短辺面取り隅部２５，２７と長辺面取り隅部２６，２８とにより対向する短辺側壁構成部２１，２３及び長辺側壁構成部２２，２４がそれぞれオフセットされた、すなわち前記各曲折部Ｂ１，Ｂ２が前記各長辺側壁構成部２２，２４の横幅方向において互いにオフセットされた状態となっていることから（図３参照）、上述のように各長辺側壁構成部２２，２４をより大きく曲折させても、前記各曲折部Ｂ１，Ｂ２が従来（図１２（ｂ）参照）ように相互に衝突（干渉）してしまうことがなく、当該各曲折部Ｂ１，Ｂ２をさらに内方へ押し進めることに供される。
【００３２】
そこで、図６（ｂ）の状態から、今度は前記両短辺側壁構成部２１，２３の他端側を内方へ押圧するようにして前記各曲折部Ｂ１，Ｂ２をさらに内方へと押し進めると、図６（ｃ）に示すように、当該各曲折部Ｂ１，Ｂ２は前記各重合壁２２ａ，２４ａの各内側面に沿って前記各長辺面取り隅部２６，２８へと向かって進んでいくこととなる。そして、この状態から、当該梱包用スリーブ１１を押し潰すようにして前記両短辺側壁構成部２１，２３をさらに内方へ押圧すると、図６（ｄ）に示すように、前記各長辺側壁構成部２２，２４の重畳壁２２ａ，２４ａ同士がそれぞれ隙間なく重合すると共に、この重合した重畳壁２２ａ，２４ａもまた相互に重合することとなって、梱包用スリーブ１１の折り畳みが完了する。
【００３３】
このようにして折り畳んだ梱包用スリーブ１１は、その後、図７に示す状態から下蓋１３上において図８に示すように横倒しにされ、その上に同様にして折り畳まれた他の梱包用スリーブが所定の高さまで上積みされ、さらにこれらをパレット１４ごと前記コンテナに積載することにより、車両等によって前記製品等の輸送元に返送され、再利用されることとなる。
【００３４】
なお、前記梱包用スリーブ１１は、前述のようにして完全に折り畳んでも、例えばその外周をバンド等によって固定するなど何も外力を加えない限りは、図７に示すように、樹脂材の有する弾性により、前記各重畳壁２２ａ，２４ａの相互間並びに重畳壁２２ａと重畳壁２４ａとの間に多少の隙間が形成された状態となるが、少なくとも前述したような完全な折り畳み状態における梱包用スリーブ１１の厚さ幅Ｄは下蓋１３の側壁１３ｂの高さＨｃよりも小さくなるように設定されていることから、当該梱包用スリーブ１１を横倒しにした状態で他の梱包用スリーブ１１を上積みすることで、当該他の梱包用スリーブ１１の重量により上方から押圧されて、下蓋１３内に完全に収容されることとなる、
以上のように、本発明に係る梱包用スリーブ１１によれば、前記各長辺側壁構成部２２，２４を曲折して折り畳むことで、横倒しにした際の必要スペースを前記各短辺側壁構成部２１，２３の面積分に抑えることが可能になることは勿論、とりわけ、対向する前記各曲折部Ｂ１，Ｂ２を、前記各長辺側壁構成部２２，２４の横幅方向において互いにオフセットさせるように構成したことにより、前記各長辺側壁構成部２２，２４を内方へ曲折して折り畳む際に前記各曲折部Ｂ１，Ｂ２同士が干渉してしまうことがなく、当該曲折した各長辺側壁構成部２２，２４の全てがほぼ平行となるように折り畳むことが可能となる。これによって、折り畳み時における梱包用スリーブ１１の厚さ幅Ｄを最小限に抑えることができ、当該折り畳み時における梱包用スリーブ１１の十分なコンパクト化が図れる。この結果、前記梱包用スリーブ１１を返送する際の、当該梱包用スリーブ１１の前記コンテナへの収容効率の向上に供される。
【００３５】
しかも、前記梱包用スリーブ１１では、前記長方形の面積がパレット１４の底面積よりも小さくなる、つまり前記各側壁構成部２１〜２４の横幅Ｗｓ１，Ｗｓ２が対応するパレット１４の各辺の長さＬ１，Ｌ２よりも小さくなるように設定すると共に、前記各側壁構成部２１〜２４の高さＨｓが前記各長辺側壁構成部２２，２４の横幅Ｌ２よりも短くなるように設定したことから、梱包用スリーブ１１を横倒しにした際に、当該梱包用スリーブ１１をパレット１４の上面の範囲に収めることが可能となるため、前記十分なコンパクト化に基づく当該梱包用スリーブ１１の前記コンテナへの収容効率向上の実効を図ることができる。
【００３６】
さらに、前記梱包用スリーブ１１では、前記各側壁構成部２１〜２４の高さＨｓが前記各短辺側壁構成部２１，２３の横幅Ｗｓ１よりも長くなるよう設定したことから、当該梱包用スリーブ１１内の容積の増大化に供され、その内部に、より多くのダンボールや、より大きな高さを有する製品の収納等が可能になると共に、前記コンテナへの収容効率を向上させるにあたり、前記各長辺側壁構成部２２，２４を曲折させるようにした構成が有効にはたらくこととなり、前記従来の課題解決に供されることとなる。
【００３７】
また、本実施形態に係る梱包用スリーブ１１にあっては、前記折り畳み状態において、その全体が前記各蓋１２，１３内に収容されるように構成したことから、とりわけ、梱包用スリーブ１１に加え前記各蓋１２，１３を返送するにあたって、これらを一纏めにすることが可能となり、当該両部材の取り扱い性の向上に供されると共に、これら両部材を前記コンテナに収容するにあたり、当該収容に要するスペース（体積）を前記各蓋１２，１３単体分とすることができるため、当該両部材の前記コンテナへの収容効率の向上にも供される。
【００３８】
さらに、本実施形態に係る梱包用スリーブ１１の場合、その全体を樹脂材料によって形成したことから、この梱包用スリーブ１１をダンボール等の紙材で形成する場合に比べて、当該梱包用スリーブ１１の耐久性を向上させることができ、当該梱包用スリーブ１１をいわゆる通い箱等として再利用する場合に、特に有効となる。
【００３９】
本発明は、前記実施の形態の構成に限定されるものではなく、その趣旨からして、前記各長辺側壁構成部２２，２４に設けた前記各曲折部Ｂ１，Ｂ２が、当該各長辺側壁構成部２２，２４の横幅方向において互いにオフセットされた構成を具備してさえいれば、前述のような十分なコンパクト化に係る本発明の特異な作用効果を奏することができるのであって、例えば前記梱包用スリーブ１１の材質や大きさ等は、その使用用途や梱包する内容物（製品等）の大きさに応じて自由に変更することができる。
【００４０】
また、前記梱包用スリーブ１１は、上下の開口部が閉塞されれば１つの箱体１０を構成するものであるため、必ずしも上下の開口部が前記各蓋１２，１３により閉塞されている必要はない。すなわち、梱包用スリーブ１１及びこれに梱包されるダンボール等をパレット１４上に直接載置して、上端開口部のみを上蓋１２により閉塞させることによって使用することも可能である。さらに、段積みを前提とする場合には、前記上下開口部をパレット１４により閉塞するかたちで使用することも可能である。
【符号の説明】
【００４１】
１０…箱体
１１…梱包用スリーブ
１２…上蓋（蓋体）
１３…下蓋（蓋体）
２１，２３…短辺側壁構成部（１対の短辺側壁構成部）
２２，２４…長辺側壁構成部（１対の長辺側壁構成部）
Ｂ１，Ｂ２…曲折部
２５，２７…短辺面取り隅部（他方の対角線上に位置する１対の面取り隅部）
２６，２８…長辺面取り隅部（一方の対角線上に位置する１対の面取り隅部）
Ｗｃ１…短辺面取り隅部の横幅
Ｗｃ２…長辺面取り隅部の横幅
【図１】
2012121603.tif 000003
【図２】
2012121603.tif 000004
【図３】
2012121603.tif 000005
【図４】
2012121603.tif 000006
【図５】
2012121603.tif 000007
【図６】
2012121603.tif 000008
【図７】
2012121603.tif 000009
【図８】
2012121603.tif 000010
【図９】
2012121603.tif 000011
【図１０】
2012121603.tif 000012
【図１１】
2012121603.tif 000013
【図１２】
2012121603.tif 000014